(57)【特許請求の範囲】
【請求項１】
前後に並設された板状の前鍵盤蓋および後鍵盤蓋が、それぞれ後端部および前端部において相互に回動可能に連結されるとともに、互いに所定の角度をなす開放位置と、互いにほぼ直線をなす閉鎖位置との間で互いに回動しながら移動することにより、楽器本体の鍵盤を含む演奏部の前部および後部をそれぞれ開閉し、前記前鍵盤蓋および前記後鍵盤蓋が前記開放位置に位置するときに、譜面を前記前鍵盤蓋の裏面に立て掛けた状態で受けるための鍵盤楽器の譜面受け装置であって、
基端部が前記前鍵盤蓋の裏面側に回動可能に設けられるとともに、前記前鍵盤蓋に沿って前記前鍵盤蓋の前端に向かって延びる折り畳み位置と、前記前鍵盤蓋および前記後鍵盤蓋が前記開放位置に位置するときにほぼ水平にセットされるセット位置との間で回動可能な譜面受けと、
この譜面受けが前記セット位置に位置した状態で前記前鍵盤蓋および前記後鍵盤蓋が前記開放位置から前記閉鎖位置に互いに回動しながら移動するときに、これに連動して前記譜面受けを前記折り畳み位置に回動駆動する折り畳み手段と、
を備えていることを特徴とする鍵盤楽器の譜面受け装置。
【請求項２】
前記折り畳み手段は、基端部が前記後鍵盤蓋の裏面に固定され、前記前鍵盤蓋および前記後鍵盤蓋が前記開放位置から前記閉鎖位置に移動するときに前記後鍵盤蓋が前記前鍵盤蓋に対して回動するのに伴い、先端部が前記譜面受けを押圧することにより、前記折り畳み位置に回動させる押圧部材であることを特徴とする請求項１に記載の鍵盤楽器の譜面受け装置。
【請求項３】
前記譜面受けは、前記前鍵盤蓋および前記後鍵盤蓋が前記閉鎖位置から前記開放位置に移動するときに、当該譜面受けの自重により前記折り畳み位置から前記セット位置に回動するように構成されており、
当該譜面受けが前記セット位置に回動したときに、当該譜面受けを前記セット位置に保持する保持手段をさらに備えていることを特徴とする請求項１または２に記載の鍵盤楽器の譜面受け装置。
【発明の詳細な説明】
【０００１】
【発明の属する技術分野】
本発明は、電子オルガンなどの鍵盤楽器の鍵盤蓋の閉鎖に連動して、譜面受けを自動的に折り畳む鍵盤楽器の譜面受け装置に関する。
【０００２】
【従来の技術】
本出願人は、従来の楽器本体におけるスライド式鍵盤蓋の格納スペースを省略することによる鍵盤楽器の薄型化および小型化を図るために、楽器本体の上部に配置された鍵盤およびコントロールパネルからなる演奏部を、前後２枚の鍵盤蓋によって開閉する鍵盤楽器の鍵盤蓋装置を既に提案している（特願平１１−８４４１４号）。図６は、この鍵盤蓋装置を備えた電子オルガンの鍵盤蓋まわりを示す側断面図である。同図に示すように、この電子オルガン４１は、オルガン本体４２の上部前半部に前後に並設した上下２段の鍵盤４３、４３と、後側の鍵盤４３の後方に斜め後ろ上がりに配置され、音色などを調整するための各種スイッチを有するコントロールパネル４４とからなる演奏部４５を備えており、この演奏部４５が、板状の前鍵盤蓋４６および後鍵盤蓋４７からなる前後２枚の鍵盤蓋４８によって開閉されるようになっている。
【０００３】
鍵盤蓋４８を構成する前鍵盤蓋４６および後鍵盤蓋４７は、それぞれ後端部および前端部において相互に回動可能に連結されており、前鍵盤蓋４６の左右両側の後端部が、オルガン本体４２の左右両側部に回動自在に取り付けられた１対の支持アーム４９、４９（図６では一方のみ図示）によってそれぞれ支持されている。また、前鍵盤蓋４６の裏面後端部には、折り畳み式の譜面受け５１が取り付けられている。この譜面受け５１は、板状に形成されており、基端部５１ａが前鍵盤蓋４６の裏面後端部に回動可能に連結され、先端部５１ｂが直角に屈曲形成されている（図７参照）。また、譜面受け５１は、前鍵盤蓋４６に沿ってその前端に向かって延びる折り畳み位置（図６において実線で示す位置）と、鍵盤蓋４８を開放した状態で譜面受け５１を使用するときに、ほぼ水平にセットされるセット位置（図６において２点鎖線で示す位置）との間で回動し、かつ、任意の回動角度で係止されるように構成されている。
【０００４】
上記の電子オルガン１を使用する場合には、まず、演奏部４５を閉鎖している鍵盤蓋４８を、持ち上げるようにして演奏部４５を開放する。具体的には、前鍵盤蓋４６を持ち上げると、これに連動して支持アーム４９が図６において時計回りに回動する。そうすると、鍵盤蓋４８の後鍵盤蓋４７および支持アーム４９の先端部は、コントロールパネル４４の後端部を乗り越え、さらに、後鍵盤蓋４７は、コントロールパネル４４の後端部から斜め後ろ下がりに傾斜する背面パネル５２上を下方に向かって摺動する。そして、図６の２点鎖線で示す斜め後ろ上がりの状態となるまで前鍵盤蓋４６を持ち上げ、これにより、鍵盤蓋４８が演奏部４５を完全に開放する。このようにして鍵盤蓋４８を開放した直後、譜面受け５１は、折り畳まれた状態、すなわち折り畳み位置に位置しているため、譜面台としても機能する前鍵盤蓋４６の裏面に譜面を立て掛ける場合には、譜面受け５１を前方に引き倒すように回動させ、セット位置にセットする。
【０００５】
一方、電子オルガン４１の使用後、鍵盤蓋４８を閉鎖する場合には、まず、譜面受け５１を、折り畳み位置まで持ち上げるようにして折り畳む。その後、上記の鍵盤蓋４８の開放動作と逆の動作、すなわち斜め後ろ上がり傾斜している前鍵盤蓋４６を前方に引き倒す。そして、前鍵盤蓋４６の裏面先端部に設けたクッション４６ａを、オルガン本体４２の上面前端部に上から当接させるようにして、鍵盤蓋４８により演奏部４５を完全に閉鎖する。
【０００６】
【発明が解決しようとする課題】
上述したように、鍵盤蓋４８を閉鎖する場合には、前鍵盤蓋４６の前方への引き倒しに先立ち、譜面受け５１を折り畳み位置に折り畳む。しかし、譜面受け５１の折り畳みを忘れ、譜面受け５１をセット位置にセットしたまま鍵盤蓋４８を閉鎖すると、譜面受け５１によって演奏部４５を損傷するおそれがある。すなわち、図６の２点鎖線で示すように、鍵盤蓋４８が開放し譜面受け５１がセット位置にセットされた状態では、譜面受け５１が前鍵盤蓋４６の裏面に対し、ほぼ直角に突出しかつその位置に係止されているため、譜面受け５１を折り畳まずに鍵盤蓋４８を閉鎖すると、前鍵盤蓋４６の上記クッション４６ａがオルガン本体４２の上面前端部に当接する前に、譜面受け５１の先端部５１ｂが、図７に示すように、演奏部４５（コントロールパネル４４）に衝突し、これを損傷してしまうおそれがある。したがって、本出願人が提案している上記鍵盤蓋装置には、この点について改善の余地がある。
【０００７】
本発明は、以上のような課題を解決するためになされたものであり、譜面受けを折り畳まずに前鍵盤蓋および後鍵盤蓋を閉鎖しても、これらの閉鎖に連動して譜面受けを自動的に折り畳むことができ、その結果、鍵盤楽器の薄型化および小型化を維持しながら、譜面受けの衝突による演奏部の損傷を確実に防止することのできる鍵盤楽器の譜面受け装置を提供することを目的とする。
【０００８】
【課題を解決するための手段】
本発明に係る鍵盤楽器の譜面受け装置は、前後に並設された板状の前鍵盤蓋および後鍵盤蓋が、それぞれ後端部および前端部において相互に回動可能に連結されるとともに、互いに所定の角度をなす開放位置と、互いにほぼ直線をなす閉鎖位置との間で互いに回動しながら移動することにより、楽器本体の鍵盤を含む演奏部の前部および後部をそれぞれ開閉し、前鍵盤蓋および後鍵盤蓋が開放位置に位置するときに、譜面を前鍵盤蓋の裏面に立て掛けた状態で受けるための鍵盤楽器の譜面受け装置であって、基端部が前鍵盤蓋の裏面側に回動可能に設けられるとともに、前鍵盤蓋に沿って前鍵盤蓋の前端に向かって延びる折り畳み位置と、前鍵盤蓋および後鍵盤蓋が開放位置に位置するときにほぼ水平にセットされるセット位置との間で回動可能な譜面受けと、この譜面受けがセット位置に位置した状態で前鍵盤蓋および後鍵盤蓋が開放位置から閉鎖位置に互いに回動しながら移動するときに、これに連動して譜面受けを折り畳み位置に回動駆動する折り畳み手段と、を備えていることを特徴とする。
【０００９】
この構成によれば、楽器本体の演奏部の前部および後部をそれぞれ開閉する前鍵盤蓋および後鍵盤蓋（以下、これらを併せて本欄において適宜「鍵盤蓋」という）が、上記開放位置から閉鎖位置に互いに回動しながら移動すると、これに連動して、上記セット位置に位置する譜面受けは、折り畳み手段によって上記折り畳み位置に回動駆動される。具体的には、前鍵盤蓋および後鍵盤蓋が、上記所定の角度をなす状態（開放位置）からほぼ直線をなす状態（閉鎖位置）となるように、前鍵盤蓋および後鍵盤蓋が回動すると、開放位置において前鍵盤蓋に対し所定角度をなして突出し水平にセットされた（セット位置の）譜面受けが、折り畳み手段により前鍵盤蓋に沿ってその前端に向かって延びるように（折り畳み位置に）折り畳まれる。したがって、譜面受けを折り畳まずに、すなわち譜面受けが前鍵盤蓋から突出した状態のまま鍵盤蓋を閉鎖しても、それに連動して譜面受けが自動的に折り畳まれ、その結果、譜面受けの衝突による演奏部の損傷を確実に防止することができる。また、相互に回動しながら移動する前鍵盤蓋および後鍵盤蓋によって楽器本体の演奏部を開閉するので、従来の楽器本体におけるスライド式鍵盤蓋の格納スペースを省略でき、鍵盤楽器の薄型化および小型化を維持することが可能となる。
【００１０】
この場合、折り畳み手段は、基端部が後鍵盤蓋の裏面に固定され、前鍵盤蓋および後鍵盤蓋が開放位置から閉鎖位置に移動するときに後鍵盤蓋が前鍵盤蓋に対して回動するのに伴い、先端部が譜面受けを押圧することにより、折り畳み位置に回動させる押圧部材であることが好ましい。
【００１１】
この構成によれば、基端部が後鍵盤蓋の裏面に固定された押圧部材は、鍵盤蓋が閉鎖するとき、すなわち後鍵盤蓋が前鍵盤蓋に対して回動し、これらがほぼ直線をなすのに伴い、先端部で譜面受けを押圧し、これにより譜面受けを折り畳み位置に回動させる。したがって、単純な構成の押圧部材によって、上記折り畳み手段を容易に実現することができる。
【００１２】
またこれらの場合、譜面受けは、前鍵盤蓋および後鍵盤蓋が閉鎖位置から開放位置に移動するときに、譜面受けの自重により折り畳み位置からセット位置に回動するように構成されており、譜面受けがセット位置に回動したときに、譜面受けをセット位置に保持する保持手段をさらに備えていることが好ましい。
【００１３】
この構成によれば、前鍵盤蓋および後鍵盤蓋を閉鎖位置から開放位置に移動させると、譜面受けは、その自重により折り畳み位置からセット位置に回動し、保持手段によってセット位置に保持される。したがって、譜面受けが前鍵盤蓋および後鍵盤蓋の開放に連動してセット位置に自動的にセットされるため、前鍵盤蓋および後鍵盤蓋の開放後に譜面受けをセット位置にセットする操作が不要となる。
【００１４】
【発明の実施の形態】
以下、図面を参照しながら、本発明の好ましい実施形態を詳細に説明する。図１〜図３は、本発明の一実施形態による鍵盤楽器の譜面受け装置を組み込んだ電子オルガンの鍵盤蓋まわりを示している。これらの図に示すように、この電子オルガン１は、オルガン本体２（楽器本体）と、このオルガン本体２の上部を上から覆う持ち上げ式の鍵盤蓋３と、鍵盤蓋３の裏面側に設けられた譜面受け装置４とを備えている。
【００１５】
オルガン本体２の上部には、その前半部に前後に並設した上下２段の鍵盤５、５と、後側の鍵盤５の後方に斜め後ろ上がりに配置され、音色などを調整するための多数のスイッチ６などを有するコントロールパネル７とからなる演奏部８が設けられている。また、オルガン本体２の左右の側板９、９と演奏部８の左右両端の間には、鍵盤蓋３を支持する左右１対の支持アーム１０、１０が設けられている（側板９および支持アーム１０は、右側のもののみ図示）。各支持アーム１０は、矩形状の鋼板などで構成されており、基端部がオルガン本体２に回動自在に連結され、先端部が後述する前鍵盤蓋２１の後端部に連結されている。したがって、鍵盤蓋３の開閉時には、両支持アーム１０、１０が基端部を中心に回動し、これにより、鍵盤蓋３が円滑に開閉できるようになっている。
【００１６】
なお、オルガン本体２の背面側上部、すなわちコントロールパネル７の後方には、コントロールパネル７の後端部から斜め後ろ下がりに傾斜した背面パネル１１が設けられている。鍵盤蓋３の開閉時に、この背面パネル１１上を後述する後鍵盤蓋２２の裏面が摺動するようになっている。
【００１７】
鍵盤蓋３は、主に演奏部８の鍵盤５、５およびコントロールパネル７をそれぞれ覆う前鍵盤蓋２１および後鍵盤蓋２２によって構成されている。これらの鍵盤蓋２１、２２は、いずれも板状に形成されており、前鍵盤蓋２１の後端部および後鍵盤蓋２２の前端部において、連結ヒンジ２３により相互に回動可能に連結されている。
【００１８】
前鍵盤蓋２１は、アクリル板からなる前蓋本体２１ａを有しており、この前蓋本体２１ａの後端部には、これに沿って左右方向に延びる蓋枠（以下「前蓋枠」という）２４が取り付けられている。この前蓋枠２４は、断面がほぼ「ヨ」字状のアルミ押出材からなり、前蓋本体２１ａの後端部を挟み込むようにして、前蓋本体２１ａに取り付けられている。また、前蓋枠２４の下端部には、上記支持アーム１０の先端部がねじ止めされている。したがって、鍵盤蓋３の開閉時には、前鍵盤蓋２１が支持アーム１０の基端部を中心に回動する。加えて、前蓋枠２４の下端部には、後述する譜面受け装置４の譜面受け３１が回動可能に取り付けられている。さらに、前蓋本体２１ａの左右両側の前端部にはいずれも、鍵盤蓋３の閉鎖時に、オルガン本体２の上面前端部に上から当接する、合成樹脂などからなるクッション２５が取り付けられている。これにより、鍵盤蓋３を閉鎖させる際に、前鍵盤蓋２１を引き倒し、その前端部がオルガン本体２の上面に当接しても、オルガン本体２を損傷することはない。
【００１９】
一方、後鍵盤蓋２２は、アクリル板からなる後蓋本体２２ａと、この後蓋本体２２ａの裏面に取り付けられた、ウレタンからなるスライド板２２ｂとを有している。後蓋本体２２ａの前端部には、これに沿って左右方向に延び、上記前蓋枠２４と同一の後蓋枠２６が、前蓋枠２４と同様に取り付けられている。そして、この後蓋枠２６の下端部には、後述する譜面受け装置４の押圧部材３２が取り付けられている。また、スライド板２２ｂの裏面全体には、フッ素樹脂フィルムが張り付けられている。これにより、鍵盤蓋３の開閉時に、後鍵盤蓋２２のスライド板２２ｂがオルガン本体２の上記背面パネル１１上を円滑に摺動する。
【００２０】
上記のように構成された前鍵盤蓋２１および後鍵盤蓋２２は、それぞれの前蓋枠２４および後蓋枠２６を相互に背中合わせにした状態で、上記連結ヒンジ２３によって連結されている。これにより、鍵盤蓋３の開閉時には、前鍵盤蓋２１および後鍵盤蓋２２が相互に回動し、互いにほぼ直線をなす状態で演奏部８全体を覆う閉鎖位置（図２において実線で示す位置）と、互いに所定の角度をなす状態で演奏部８の後方の開放位置（図２において２点鎖線で示す位置）との間で、上記支持アーム１０により支持されながら全体として回動するように移動する。なお、鍵盤蓋３を開放させると、左右の支持アーム１０、１０がオルガン本体２の左右両側部に設けた、左右方向に延びるストッパ２７、２７（一方のストッパのみ図示）に上から当接し、これにより、鍵盤蓋３が上記開放位置に係止される。
【００２１】
譜面受け装置４は、前鍵盤蓋２１の裏面側に設けられた折り畳み式の譜面受け３１と、後鍵盤蓋２２の裏面側に設けられ、鍵盤蓋３の閉鎖時に、譜面受け３１を押圧して折り畳む押圧部材３２（折り畳み手段）とにより構成されている。図３に示すように、譜面受け３１は、板状に形成されており、基端部３１ａがヒンジ３３を介して前鍵盤蓋２１の前蓋枠２４の下端部に回動可能に取り付けられ、先端部３１ｂが直角に屈曲形成されている。そして、この譜面受け３１は、前鍵盤蓋２１に沿ってその前端に向かって延びる折り畳み位置（図３において実線で示す位置）と、鍵盤蓋３が開放位置に位置するときに、保持手段としても機能する押圧部材３２および／またはコントロールパネル７の後端部に下側から支持されることによって、ほぼ水平にセット（保持）されるセット位置（図３において２点鎖線で示す位置）との間で回動自在に構成されている。
【００２２】
一方、押圧部材３２は、図３および図４に示すように、板材を前後２箇所で屈曲して形成されており、後鍵盤蓋２２の後蓋枠２６の下面にねじ止めして固定された固定部３２ａと、この固定部３２ａの前端で屈曲して斜め前下がりに傾斜し、さらに屈曲して上記譜面受け３１の底面付近まで延びる押圧部３２ｂとにより構成されている。また、押圧部３２ｂの先端部には、合成ゴムなどの弾性材料からなるクッション３４が取り付けられている。このクッション３４により、押圧部材３２が譜面受け３１を押圧しても、譜面受け３１の底面に傷が付かないようになっている。
【００２３】
次に、上記電子オルガン１の鍵盤蓋３の開閉における譜面受け３１の動作について説明する。なお、鍵盤蓋３が閉鎖位置に位置しているときには、譜面受け３１は、押圧部材３２によって下側から支持され、上記折り畳み位置に位置している（図２および図３参照）。
【００２４】
電子オルガン１を使用する場合には、まず、閉鎖位置に位置する鍵盤蓋３を持ち上げ、これを開放位置に位置するまで移動させるようにして、オルガン本体２の演奏部８を開放する。具体的には、電子オルガン１を使用する演奏者などが閉鎖位置の前鍵盤蓋２１を持ち上げると、これに連動して支持アーム１０が図２において時計回りに回動する。この場合、前鍵盤蓋２１および後鍵盤蓋２２は、互いに直線をなす閉鎖位置から、次第に角度をなすように、連結ヒンジ２３によって相互に回動する。これに伴い、後鍵盤蓋２２の後蓋枠２６に固定された押圧部材３２は、その先端部の押圧部３２ｂが前鍵盤蓋２１から離隔するように、前鍵盤蓋２１に対して回動する。この押圧部材３２の回動に伴い、折り畳み位置に位置する譜面受け３１は、その自重により、押圧部材３２に下側から支持されながら図２において反時計回りに回動する。そして、前鍵盤蓋２１のさらなる持ち上げによって、後鍵盤蓋２２および支持アーム１０の先端部が、コントロールパネル７の後端部を乗り越え、後鍵盤蓋２２のスライド板２２ｂが背面パネル１１上を下方に向かって摺動し、鍵盤蓋３が開放位置まで移動する。これにより、オルガン本体２の演奏部８が完全に開放する。またこの場合、譜面受け３１は、自動的にセット位置にセットされる。
【００２５】
このようにして鍵盤蓋３を開放させた後、図２および図３に示すように、開放位置の前鍵盤蓋２１およびセット位置の譜面受け３１を利用して、譜面Ｆを立て掛ける。具体的には、譜面受け３１上に譜面Ｆを載置するとともに、その背面上端部を前鍵盤蓋２１（前蓋本体２１ａ）の裏面に当接させるように、斜めに立て掛ける。
【００２６】
一方、電子オルガン１の使用後、鍵盤蓋３を閉鎖する場合には、上記の鍵盤蓋３の開放動作と逆の動作、すなわち斜め後ろ上がりに傾斜している前鍵盤蓋２１を前方に引き倒す。そして、前鍵盤蓋２１の前端部に設けたクッション２５を、オルガン本体２の上面前端部に上から当接させるようにして、鍵盤蓋３を閉鎖位置まで移動させ、これにより、オルガン本体２の演奏部８を完全に閉鎖する。
【００２７】
この場合、セット位置に位置する譜面受け３１は、鍵盤蓋３の閉鎖動作に連動して自動的に折り畳まれる。すなわち、図５に示すように、開放位置に位置する鍵盤蓋３を閉鎖させようとすると、前鍵盤蓋２１および後鍵盤蓋２２は、相互に所定角度をなす状態から、次第に直線をなすように、相互に回動しながら閉鎖位置に移動する。つまり、後鍵盤蓋２２が前鍵盤蓋２１に対して回動するのに伴い、押圧部材３２の押圧部３２ｂが譜面受け３１の底面を押圧し、その結果、譜面受け３１を折り畳み位置に回動させる。
【００２８】
以上詳述したように、上記譜面受け装置４によれば、前鍵盤蓋２１および後鍵盤蓋２２が、開放位置から閉鎖位置に互いに回動しながら移動すると、これに連動して、セット位置の譜面受け３１が、押圧部材３２により自動的に折り畳まれるので、譜面受け３１の衝突によるオルガン本体２の演奏部８の損傷を確実に防止することができる。また、相互に回動しながら移動する前鍵盤蓋２１および後鍵盤蓋２２によってオルガン本体２の演奏部８を開閉するので、従来のオルガン本体におけるスライド式鍵盤蓋の格納スペースを省略でき、鍵盤楽器としての電子オルガン１の薄型化および小型化を維持することが可能となる。さらに、上記のような単純な構成の押圧部材３２によって譜面受け３１を折り畳むことができるので、上記譜面受け装置４を低コストで製造することができる。さらにまた、譜面受け３１が、鍵盤蓋３の開放に連動してセット位置に自動的にセットされるため、鍵盤蓋３の開放後に譜面受け３１をセット位置にセットする操作が不要となり、鍵盤蓋３の開放後に、前鍵盤蓋２１および譜面受け３１を利用して直ちに譜面Ｆを立て掛けることが可能となる。
【００２９】
また、上記押圧部材３２は、閉鎖位置に位置する後鍵盤蓋２２の単独の開放を規制する部材としても機能する。すなわち、図３に示すように、閉鎖位置の鍵盤蓋３のうち後鍵盤蓋２２のみを開放させようとしても、後鍵盤蓋２２が図３において反時計回りに所定角度回動したときに、押圧部材３２の押圧部３２ｂがコントロールパネル７に当接し、それ以上後鍵盤蓋２２が回動しないようになっている。これにより、閉鎖位置の後鍵盤蓋２２のみが、いたずらなどで開放させられても、その後鍵盤蓋２２は大きく開放することがなく、演奏部８の保護を十分に達成することができる。
【００３０】
なお、本発明は、説明した上記実施形態に限定されることなく、種々の態様で実施することができる。すなわち、本発明の譜面受け装置は、電子オルガンに限らず、例えば、シンセサイザや生楽器としてのオルガンなど、種々の鍵盤楽器に適用可能である。また、実施形態で示した譜面受けや押圧部材の細部の構成などは、あくまで例示であり、本発明の趣旨の範囲内で適宜、変更することができる。
【００３１】
【発明の効果】
以上詳述したように、本発明の鍵盤楽器の譜面受け装置は、譜面受けを折り畳まずに前鍵盤蓋および後鍵盤蓋を閉鎖しても、これらの閉鎖に連動して譜面受けを自動的に折り畳むことができ、その結果、鍵盤楽器の薄型化および小型化を維持しながら、譜面受けの衝突による演奏部の損傷を確実に防止することができる。また、前鍵盤蓋および後鍵盤蓋を開放するだけで、譜面受けを自動的にセット位置にセットすることができるなどの効果を有する。
【図面の簡単な説明】
【図１】本発明の一実施形態に係る譜面受け装置を組み込んだ電子オルガンであって、オルガン本体の演奏部を鍵盤蓋で閉鎖した状態の電子オルガンの右部、および鍵盤蓋を支持する支持アームの回動部分の付近を破断した平面図である。
【図２】図１の電子オルガンの側断面図である。
【図３】開放位置および閉鎖位置における前鍵盤蓋および後鍵盤蓋の連結部分まわりを拡大して示す側断面図である。
【図４】押圧部材を後鍵盤蓋に取り付けた状態を示す図であり、（ａ）は平面図、（ｂ）は側断面図である。
【図５】鍵盤蓋の開閉を説明するための説明図である。
【図６】本出願人が既に提案している鍵盤蓋装置を適用した電子オルガンを示す側断面図である。
【図７】図６の電子オルガンにおける鍵盤蓋の開閉に伴う譜面受けの動作を説明するための説明図である。
【符号の説明】
１      電子オルガン
２      オルガン本体
３      鍵盤蓋
４      譜面受け装置
８      演奏部
２１    前鍵盤蓋
２２    後鍵盤蓋
３１    譜面受け
３２    押圧部材（折り畳み手段、保持手段）
Ｆ      譜面
【図１】
0003732679.tif 000002
【図２】
0003732679.tif 000003
【図３】
0003732679.tif 000004
【図４】
0003732679.tif 000005
【図５】
0003732679.tif 000006
【図６】
0003732679.tif 000007
【図７】
0003732679.tif 000008